(57)【特許請求の範囲】
【請求項１】
光ディスクの半径方向に移動しながら、該光ディスクに対して情報の記録あるいは再生を行う光ピックアップ装置において、
光ビームを出射する光源と、
上記光ビームを上記光ディスクに集光する対物レンズと、
上記光ディスクによって反射された上記光ビームの戻り光を受光する受光素子と、
上記光源の光軸を上記受光素子とは独立に調整する光軸調整機構と、
を備え、
上記光源は、当該光ピックアップ装置における上記光ディスクの内周側の側面に配置され、
上記受光素子は、上記光ディスクの中心を通り上記移動方向に平行な直線と、上記光源から出射される上記光ビームの光軸との間であって、上記移動方向に垂直な上記対物レンズを通る上記光ディスクと平行な平面内の直線に対し、上記光ディスクの内周側に配置されており、
上記光軸調整機構は、上記受光素子が配置されているハウジングと上記光源との間に設けられており、
上記光源は、上記光軸調整機構を介して上記ハウジングに固定されていることを特徴とする光ピックアップ装置。
【請求項２】
上記光源は、当該光源から出射される上記光ビームの光軸が当該光ピックアップ装置の上記移動方向と平行になるように配置されていることを特徴とする請求項１に記載の光ピックアップ装置。
【請求項３】
請求項１または２に記載の光ピックアップ装置を備えていることを特徴とする光ディスク装置。
【発明の詳細な説明】
【技術分野】
【０００１】
本発明は、光ディスクに対して情報の記録、あるいは、再生を行う光ピックアップ装置、及び、その光ピックアップ装置を搭載した光ディスク装置に関する。
【背景技術】
【０００２】
近年、光ディスクの分野においては、音声データ等のデジタルデータを記録した従来のＣＤと同じ直径（１２ｃｍ）でありながら、高密度記録が可能なＤＶＤが普及している。ＣＤに比べて記録密度が高いＤＶＤに対しては、ＣＤに対して情報の記録再生を行う光の波長（７８０ｎｍ）よりも短い波長（６５０ｎｍ）の光を用いて、情報の記録再生が行われる。
【０００３】
これら異なる記録密度を有する複数種類の光ディスクに対して、情報の記録再生を行う情報記録再生装置（以下、光ディスク装置とも呼ぶ）においては、異なる波長の光を出射する複数の光源と、異なる波長の光を受光して電気信号に変換する複数の受光素子とを備えた光ピックアップ装置が用いられる。光ディスク装置に対する小型化・薄型化・省電力化の要求に対応するために、光ディスク装置に搭載される光ピックアップ装置も小型・薄型であることが好ましいが、光ピックアップ装置の小型化・薄型化を実現するためには、光ピックアップ装置における光源や受光素子の配置が重要となる。
【０００４】
光源と受光素子と回折格子とを集積化した光学ユニットを複数搭載した、薄型の光ピックアップ装置が、特許文献１に開示されている。
【０００５】
図４は、特許文献１に示された光ピックアップ装置３００の概略構成を示す概略構成図である。図４に示したように、光ピックアップ装置３００は、その主要な構成要素として、対物レンズ３０１、高密度光ディスク用光学ユニット３０２ａ、低密度光ディスク用光学ユニット３０２ｂ、ビームスプリッタ３０３、および、波長フィルタ３０４を備えており、これらは、ハウジング３０５に搭載されて固定されている。光ピックアップ装置３００は、光ディスク３６０の半径方向（トラック方向と垂直な方向）に移動しながら、光ディスク３６０に対して情報の記録あるいは再生を行うものである。
【０００６】
光学ユニット３０２ａ・ｂは、図４に示したように、発光素子３０６ａ・ｂ、受光素子３０７ａ・ｂ、および、ホログラム回折格子３０８ａ・ｂを一体化することにより構成されている。光学ユニット３０２ａが備えている発光素子３０６ａは、高密度光ディスク用の短波長の光ビームを出射し、同受光素子３０７ａは、光ディスク３６０の記録面により反射された、該光ビームの戻り光を受光する。一方、光学ユニット３０２ｂが備えている発光素子３０６ｂは、低密度光ディスク用の長波長の光ビームを出射し、同受光素子３０７ｂは、光ディスク３６０の記録面により反射された、該光ビームの戻り光を受光する。ホログラム回折格子３０８ａ・ｂは、光学ユニット３０２ａ・ｂに入射する戻り光を回折し、受光素子３０７ａ・ｂに導く。
【０００７】
ビームスプリッタ３０３は、光学ユニット３０２ａと光学ユニット３０２ｂとから出射された光ビームを、対物レンズ３０１直下に配置された立上げミラー（不図示）に至る同一の光軸上に導く。ビームスプリッタ３０３から出射された光ビームは、波長フィルタ３０４により所定の光束径に調節された後、上記立上げミラーに反射され、対物レンズ３０１に入射する。対物レンズ３０１は、該対物レンズ３０１に入射した上記光ビームを、光ディスク３６０の記録面上に集光する。
【０００８】
光ディスク３６０により反射された反射光（以下、戻り光と呼称する）は、上記立上げミラーに反射され、再びビームスプリッタ３０３に入射する。ビームスプリッタ３０３は、上記立上げミラーにより反射された戻り光を、該戻り光の波長に応じて、光学ユニット３０２ａ、あるいは、光学ユニット３０２ｂに導く。
【０００９】
図４に示したように、光ピックアップ装置３００は、光ディスク３６０の半径方向と平行に配設された２本の案内軸（以下、ガイドシャフトと記載）３５１を介して、光ディスク装置３５０に取り付けられている。具体的には、ハウジング３０５の突出部３０９に設けられた貫通孔にガイドシャフト３５１を貫通させることにより、光ピックアップ装置３００は、光ディスク装置３５０に取り付けられている。このため、光ピックアップ装置３００は、光ディスク３６０の半径方向に移動可能である。
【００１０】
また、光ピックアップ装置３００のハウジング３０５の内周側には、スピンドルモータ３５２の形状に応じた凹部３１０が形成されている。このため、光ピックアップ装置３００が、光ディスク３６０の内周部側へ移動した場合でも、ハウジング３０５とスピンドルモータ３５２との間の干渉を回避することができる。これは、対物レンズ３０１を光ディスク３６０のより内周まで移動させるために当業者によって従来から行われている通常の構成である。
【００１１】
また、図４に示したように、光学ユニット３０２ａと光学ユニット３０２ｂとは、光ディスク３６０に平行な同一平面内に、ビームスプリッタ１０を起点として略９０度の角度をなすように配置されている。具体的には、光学ユニット３０２ｂは、ビームスプリッタ３０３を透過して直進する戻り光の光路上に配置され、光学ユニット３０２ａは、ビームスプリッタ３０３により、光ディスク３６０と平行な面内で光路を９０度曲げられた戻り光の光路上に配置されている。このような配置により、光学ユニット３０２ａと光学ユニット３０２ｂとが、光ディスク３６０に平行な同一平面内に配置されるため、光ピックアップ装置３００を薄型に構成することができる。
【００１２】
光源と受光素子とを一体化した光学ユニットを複数搭載した薄型かつ小型の光ピックアップ装置が、特許文献２に記載されている。
【００１３】
図５は、特許文献２に示された光ピックアップ装置４００の概略構成を示す概略構成図である。光ピックアップ装置４００は、図５に示したように、その主要な構成要素として、対物レンズ４０１、ＤＶＤ用の光学ユニット４０２ａ、ＣＤ用の光学ユニット４０２ｂ、ダイクロイックプリズム４０３、および、コリメータレンズ４０４を備えており、これらは、ハウジング４０５に搭載されて固定されている。光ピックアップ装置４００は、光ディスク４６０の半径方向（トラック方向と垂直な方向）に移動しながら、光ディスク４６０に対して情報の記録あるいは再生を行うものである。
【００１４】
光学ユニット４０２ａ・ｂは、図５に示したように、光源と受光素子４０７ａ・ｂとにより構成されている。光学ユニット４０２ａ・ｂは、それ自体でそれぞれＤＶＤ用の光源とＣＤ用の光源であると共に、それぞれ、ＤＶＤ用の受光素子４０７ａ及びＣＤ用の受光素子４０７ｂを含んでいる。受光素子４０７ａ・ｂは、再生信号、フォーカシングエラー信号及びトラッキングエラー信号を得るために、受光した戻り光を電気信号に変換する。
【００１５】
光学ユニット４０２ａから射出されたレーザ光は、ダイクロイックプリズム４０３の内部で反射されて方向変換された後、コリメータレンズ４０４を通り、対物レンズ４０１直下に配置された不図示の反射ミラー（プリズム）に入射する。該反射ミラーで反射された光は、対物レンズ４０１により光ディスク４６０の記録面上に集光される。該光ビームが光ディスク４６０の記録面に反射されてなる戻り光は、対物レンズ４０１、および、コリメータレンズ４０４を経て、ダイクロイックプリズム４０３に入射する。そして、該戻り光は、ダイクロイックプリズム４０３の内部で反射されてホログラム４０８ａに入射し、該ホログラム４０８ａにより回折されて、受光素子４０７ａに入射する。
【００１６】
一方、光学ユニット４０２ｂから射出されたレーザ光は、ダイクロイックプリズム４０３を透過して直進した後、コリメータレンズ４０４を通り、対物レンズ４０１直下に配置された不図示の反射ミラー（プリズム）に入射する。該反射ミラーで反射された光は、対物レンズ４０１により光ディスク４６０の記録面上に集光される。該光ビームが光ディスク４６０の記録面に反射されてなる戻り光は、対物レンズ４０１、および、コリメートレンズ４０４を経て、ダイクロイックプリズム４０３に入射する。そして、該戻り光は、ダイクロイックプリズム４０３を透過して直進し、ホログラム４０８ｂにより回折されて、受光素子４０７ｂに入射する。
【００１７】
図５に示したように、光学ユニット４０２ａ・ｂは、いずれもハウジング４０５の側壁に取り付けられており、光学ユニット４０２ａ・ｂから出射され、対物レンズ４０１直下に配置された反射ミラーに至るレーザ光の光路は、光ディスク４６０に平行な平面内に形成される。このため、光ピックアップ装置４００は、光ピックアップ装置３００と同様、薄型に形成することができる。
【００１８】
また、光ピックアップ装置４００は、図４に示した光ピックアップ装置３００と同様に、光ディスク４６０の半径方向と平行に配設された２本のガイドシャフト４５１を介して、光ディスク装置４５０に、光ディスク４６０の半径方向に移動可能に取り付けられる。光ピックアップ装置４００のハウジング４０５の内周側には、スピンドルモータ４５２との干渉を避けるための凹部４１０が形成されている。これは、対物レンズ４０１を光ディスク４６０のより内周まで移動させるために当業者によって従来から行われている、光ピックアップ装置３００と同様の構成である。
【００１９】
また、光ピックアップ装置４００は、光ディスク装置４５０（例えば、ノート型パソコン搭載用ドライブ装置や外付けディスク装置用ドライブ装置）において光ディスク４６０を収納する入れものとなる、四角形状のディスク搭載部に内包されている。図５の点線４５３は、このディスク搭載部の壁を示すものである。光ピックアップ装置４００は、光ディスクの外周側に移動する際、該ディスク搭載部の対角線Ｍに沿って移動する。そこで、ハウジング４０５の外周側の形状は、ピックアップ装置４００が光ディスクの最外周側へ移動した場合でも、ハウジング４０５、および、ハウジング４０５の側壁に取り付けられた光学ユニット４０２ａ・ｂが上記ディスク搭載部の壁４５３と干渉することがないよう、ディスク搭載部のコーナー部４５３ｃの形状に沿うように設計されている。
【００２０】
図５は、図４に示した光ピックアップ装置４００のハウジング４０５の形状を示す外観図であり、他の部品が取り外された状態で裏面から見たハウジング４０５の形状を示している。ハウジング４０５は、上述した、光学ユニット４０２ａ・ｂ、ダイクロイックプリズム４０３、および、対物レンズ４０１等の光学部品を保持する。特に、ダイクロイックプリズム４０３を取り付ける取り付け面４０５ａの周囲には、図示しない治具を挿入するための挿入孔４０５ｂが設けられており、ダイクロイックプリズム４０３の取り付け位置の精密な調整が可能になっている。
【特許文献１】特開  平１０−１５４３４４号公報（公開日：平成１０年６月９日）
【特許文献２】特開２００４−１０３１９３号公報（公開日：平成１６年４月２日）
【発明の開示】
【発明が解決しようとする課題】
【００２１】
しかしながら、上記従来の光ピックアップ装置においては、光学ユニットを大型化した場合、光学ユニット同士、あるいは、光学ユニットと他の部材との間で干渉が生じるという配置上の問題があった。また、光学ユニットを大型化した場合、このような干渉を避けるためには、光ピックアップ装置自体の大型化、あるいは、当該光ピックアップ装置を搭載した光ディスク装置の大型化が避けられないという問題があった。
【００２２】
光学ユニットを大型化する理由の一つとして、次世代ＤＶＤへの対応が挙げられる。次世代ＤＶＤは、従来のＣＤあるいはＤＶＤと比べ、より短い波長の青紫レーザ（波長４０５ｎｍ）によって情報の記録再生が行われる。このため、次世代ＤＶＤに対応した光学ユニットにおいては、該レーザ光を受光する受光素子は、従来よりも大型に形成することが好ましい。このため、受光素子を含む光学ユニットも大型化する必要が生じる。
【００２３】
また、次世代ＤＶＤに対応するためには、光源も大型にする必要が生じる。次世代ＤＶＤでは、光ディスクに照射される光ビームの傾きにより生じるコマ収差を低減するために、従来のＣＤ（基板厚１．２ｍｍ）やＤＶＤ（基板厚０．６ｍｍ）と比べて極めて薄い（基板厚０．１ｍｍ）光ディスクを採用する。従って、次世代ＤＶＤに対して情報を記録・再生する場合、従来のＣＤやＤＶＤと比べて、光源の光軸調整は極めて厳しく（高精度に）実現されなくてはならない。このため、次世代ＤＶＤに対応した光学ユニットにおいては、受光素子とは独立に光源の光軸位置や光軸角度を微調整することができる構成が重要になる。
【００２４】
従来技術として説明したＣＤ・ＤＶＤ用の光学ユニット類においては、光源となる半導体レーザチップが当該ユニット内にボンディング等により固定されている。従って、光ディスクに向かう光ビームの角度精度は、ボンディング時のレーザチップの取り付け精度で決まってしまい、光源と受光素子とを別々に調整することができない。これに対し、次世代ＤＶＤ用の光源は、少なくとも信号検出用の受光素子とは別にパッケージングされた状態（ＣＡＮパッケージング、あるいは樹脂パッケージングされた、当業者により通常「単体レーザ」と称されている状態）で、かつ、受光素子とは独立に光軸調整が可能な状態で、光学ユニットに搭載される必要がある。
【００２５】
半導体レーザチップがパッケージングされている場合、当然のことながら、パッケージング部材の分だけ光源のサイズが大きくなる。また、光源に光軸調整を行うための機構を付加する場合、この光軸調整機構の分だけ光源サイズが大きくなる。
【００２６】
以上のように、次世代ＤＶＤに対応した光学ユニットにおいては、受光素子および光源のサイズを、従来のＣＤ・ＤＶＤ用光学ユニットに比べて大型化する必要が生じる。よって、次世代ＤＶＤに対応した光源と受光素子とをユニット化すれば、その光学ユニットは、当然のことながら、ＣＤ・ＤＶＤ用光学ユニットに比べて大型化する。
【００２７】
また、光学ユニットを大型化する他の理由として、複数の記録面を備えた多層光ディスクへの対応が挙げられる。多層光ディスクに対する情報の記録再生に際しては、情報の記録あるいは再生を行おうとしている意図した記録面により反射された反射光に加え、他の意図しない記録面からの反射光である多層迷光が光学ユニットに入射する。このため、光学ユニットに入射する入射光を受光素子に導く回折格子の回折角は、より大きく設定されることが好ましい。回折角を大きくとると、非回折光の光路上に配置される光源と、回折光の光路上に配置される受光素子との間の距離が大きくなるので、この場合も、光学ユニットは大型化する。
【００２８】
図４に示した光ピックアップ装置３００においては、光学ユニット３０２ａ・ｂを大型化すると、光学ユニット３０２ａと光学ユニット３０２ｂとの間で干渉が生じる。特に、受光素子３０７ｂが光源３０６ｂから出射される光ビームの光軸よりディスクの外周側に配置されているため、受光素子３０７ｂを大型化した場合、あるいは、回折格子３０８ｂの回折角を大きくした場合、光学ユニット３０２ｂは、図示した状態よりもさらにディスクの外周側に迫り出し、他方の光学ユニット３０２ａとの間に干渉を生じる。また、対物レンズ３０１を光ディスク３６０の最外周に移動したときに、大型化して外側に迫り出した光学ユニット３０２ｂと干渉することを避けるために、当該光ピックアップ装置３００を内包する光ディスク装置３５０を大型化することを余儀なくされるという問題が生じる。
【００２９】
一方、図５に示した光ピックアップ装置４００においては、光学ユニット４０２ｂを大型化すると、該光ピックアップ装置４００をディスクの外周側に移動したとき、光学ユニット４０２ｂとディスク搭載部の壁４５３との間で干渉が生じる。特に、受光素子４０７ｂが光源４０６ｂから出射される光ビームの光軸よりディスクの外周側に配置されているため、受光素子４０７ｂを大型化した場合、あるいは、回折格子４０８ｂの回折角を大きくした場合、光学ユニット４０２ｂは、図示した状態よりもさらにディスクの外周側に張り出し、ディスク搭載部の壁４５３との間に干渉を生じる。換言すれば、光ピックアップ装置４００の必要な可動範囲が確保できなくなる。この場合もやはり、対物レンズ４０１を光ディスク４６０の最外周に移動したときにも干渉が生じないよう、光ディスク装置４５０の大きさを拡大することを余儀なくされるという問題を生じる。
【００３０】
本発明は上記の問題に鑑みてなされたものであり、その目的は、光学ユニットを大型化しても、光学ユニット同士、あるいは、光学ユニットと他の部材との間で干渉が生じないよう光学ユニットを配置可能な光ピックアップ装置、および、その光ピックアップ装置を搭載した小型の光ディスク装置を提供することにある。
【課題を解決するための手段】
【００３１】
本発明の光ピックアップ装置は、上記課題を解決するために、光ディスクの半径方向に移動しながら、該光ディスクに対して情報の記録あるいは再生を行う光ピックアップ装置において、光ビームを出射する光源と、上記光ビームを上記光ディスクに集光する対物レンズと、上記光ディスクによって反射された上記光ビームの戻り光を受光する受光素子と、を備え、上記光源は、上記移動方向に垂直な上記対物レンズを通る上記光ディスクと平行な平面内の直線上に配置され、上記受光素子は、上記直線に対し上記光ディスクの内周側に配置されていることを特徴としている。
【００３２】
上記構成によれば、上記光源は、上記移動方向と垂直な上記対物レンズを通る直線上に配置され、上記受光素子は、上記直線に対し、上記光ディスクの内周側に配置されている。従って、当該光ピックアップ装置を薄型に構成することができ、また、上記受光素子が大型化した場合でも、上記直線より光ディスクの外周側は、上記光源、及び、上記受光素子が配置されることのない空き領域となる。
【００３３】
また、上記光源と上記受光素子とが上述のように配置された光ピックアップ装置においては、上記光源と上記受光素子とを１つの光学ユニットに集積化する場合でも、上記空き領域を確保して当該光学ユニットを形成することが可能になる。
【００３４】
従って、上記構成によれば、上記空き領域に光学系を構成する他の部品、あるいは、これらの部品を駆動する部品等を配置することにより、光ピックアップ装置の大型化を招来することなく、光ピックアップ装置の高機能化・多機能化を実現することができるという効果を奏する。また、上記領域に他の部品を配設する必要がない場合には、上記空き領域の分、光ピックアップ装置のサイズを縮小化することができるという効果を奏する。
【００３５】
本発明に係る光ピックアップ装置においては、上記光源と上記受光素子とは光学ユニットとして集積化されており、上記光学ユニットは、上記直線に対し、上記光ディスクの外周側に位置している部分が、上記光ディスクの内周側に位置している部分より小さく形成されていること、が好ましい。
【００３６】
上記構成によれば、上記光源と上記受光素子とは光学ユニットとして集積化されているので、当該光ピックアップ装置の製造に際し、上記光源と上記受光素子との取り付け位置を独立に調整する必要がなく、製造方法の簡略化、および、製造コストの低減が可能であるという更なる効果を奏する。
【００３７】
本発明の光ピックアップ装置は、上記課題を解決するために、光ディスクの半径方向に移動しながら、該光ディスクに対して情報の記録あるいは再生を行う光ピックアップ装置において、光ビームを出射する光源と、上記光ビームを上記光ディスクに集光する対物レンズと、上記光ディスクによって反射された上記光ビームの戻り光を受光する受光素子と、を備え、上記光源は、当該光ピックアップ装置における上記光ディスクの内周側の側面に配置され、上記受光素子は、上記移動方向に垂直な上記対物レンズを通る上記光ディスクと平行な平面内の直線に対し、上記光ディスクの内周側に配置されていることを特徴としている。
【００３８】
上記構成によれば、上記光源は、当該光ピックアップ装置における上記光ディスクの内周側の側面に配置され、上記受光素子は、当該光ピックアップ装置の移動方向と垂直な上記対物レンズを通る直線に対し、上記光ディスクの内周側に配置されている。従って、当該光ピックアップ装置を薄型に構成することができ、また、上記受光素子が大型化した場合でも、上記直線より光ディスクの外周側は、上記光源、及び、上記受光素子が配置されることのない空き領域となる。
【００３９】
また、上記光源と上記受光素子とが上述のように配置された光ピックアップ装置においては、上記光源と上記受光素子とを１つの光学ユニットに集積化する場合でも、上記空き領域を確保して当該光学ユニットを形成することが可能になる。
【００４０】
従って、上記構成によれば、上記空き領域に光学系を構成する他の部品、あるいは、これらの部品を駆動する部品等を配置することにより、光ピックアップ装置の大型化を招来することなく、光ピックアップ装置の高機能化・多機能化を実現することができるという効果を奏する。また、上記領域に他の部品を配設する必要がない場合には、上記空き領域の分、光ピックアップ装置のサイズを縮小化することができるという効果を奏する。
【００４１】
なお、上記光源は、当該光源から出射される上記光ビームの光軸が当該光ピックアップ装置の上記移動方向と平行になるように配置されている構成としても良い。
【００４２】
本発明の光ピックアップ装置においては、上記光源と上記受光素子とが光学ユニットとして集積化されていることが好ましい。
【００４３】
上記構成によれば、上記光源と上記受光素子とは光学ユニットとして集積化されているので、当該光ピックアップ装置の製造に際し、上記光源と上記受光素子との取り付け位置を独立に調整する必要がなく、製造方法の簡略化、および、製造コストの低減が可能であるという更なる効果を奏する。
【００４４】
なお、上記光学ユニット全体が、上記移動方向に垂直な上記対物レンズを通る上記光ディスクと平行な平面内の直線に対し、上記光ディスクの内周側に配置されている構成としても良い。
【００４５】
本発明の光ディスク装置は、上述の光ピックアップ装置を備えていることを特徴とする。
【００４６】
上記構成によれば、上記光ディスク装置は上述の光ピックアップ装置を備えているので、光ディスク装置の大型化を招来することなく、光ディスク装置の高機能化・多機能化を実現することができる。また、光ディスク装置のサイズを縮小化することができる。
【発明の効果】
【００４７】
本発明の光ピックアップ装置は、以上のように、光ディスクの半径方向に移動しながら、該光ディスクに対して情報の記録あるいは再生を行う光ピックアップ装置において、光ビームを出射する光源と、上記光ビームを上記光ディスクに集光する対物レンズと、上記光ディスクによって反射された上記光ビームの戻り光を受光する受光素子と、を備え、上記光源は、上記移動方向に垂直な上記対物レンズを通る上記光ディスクと平行な平面内の直線上に配置され、上記受光素子は、上記直線に対し上記光ディスクの内周側に配置されている。
【００４８】
また、本発明の光ピックアップ装置は、以上のように、光ディスクの半径方向に移動しながら、該光ディスクに対して情報の記録あるいは再生を行う光ピックアップ装置において、光ビームを出射する光源と、上記光ビームを上記光ディスクに集光する対物レンズと、上記光ディスクによって反射された上記光ビームの戻り光を受光する受光素子と、を備え、上記光源は、当該光ピックアップ装置における上記光ディスクの内周側の側面に配置され、上記受光素子は、上記移動方向に垂直な上記対物レンズを通る上記光ディスクと平行な平面内の直線に対し、上記光ディスクの内周側に配置されている。
【００４９】
従って、上記受光素子が大型化しても、上記直線より光ディスクの外周側は、上記光源、及び、上記受光素子が配置されることのない空き領域となる。このため、上記構成によれば、上記空き領域に光学系を構成する他の部品、あるいは、これらの部品を駆動する部品等を配置することにより、光ピックアップ装置の大型化を招来することなく、光ピックアップ装置の高機能化・多機能化を実現することができるという効果を奏する。また、上記領域に他の部品を配設する必要がない場合には、上記空き領域の分、光ピックアップ装置のサイズを縮小化することができる。
【発明を実施するための最良の形態】
【００５０】
〔実施形態１〕
本発明の一実施形態について図１を参照しながら説明する。図１は次世代ＤＶＤに対する情報の記録および再生に対応した光ピックアップ装置１００の概略構成を示す概略構成図である。
【００５１】
図１に示すように、光ピックアップ装置１００は、その光学系を構成する主要な要素として、光学ユニット１、コリメートレンズ２、対物レンズ３、光量制御素子４、および、立ち上げミラー５を備えている。
【００５２】
光学ユニット１は、光源１ａ、受光素子１ｂ、偏光ビームスプリッタ１ｃ、および、光分割光学素子１ｄを含み、これらが集約されたものである。光源１ａは、単独で光軸調整ができるように、光軸調整機構１ｅを介して光学ユニット１の筐体１´に固定されている。一方、受光素子１ｂは、上記筐体１´に固定された偏光ビームスプリッタ１ｃに、保持部材１ｆを介して取り付けられている。また、光分割ユニット１ｄは、偏光ビームスプリッタ１ｃに直接取り付けられている。
【００５３】
光学ユニット１に含まれる光源１ａは、例えばＣＡＮパッケージ化された単体レーザであり、波長４０５ｎｍの青紫レーザ光を出射する。当該光源１ａは、上述したように、光軸調整機構１ｅを介して光学ユニット１に固定されているので、受光素子１ｂの配置に影響を与えることなく光軸調整を行うことができる。また、受光素子１ｂは、上記青紫レーザ光が光ディスクに反射された反射光（戻り光）を受光し、該反射光を電気信号に変換する。受光素子１ｂにより得られる電気信号には、再生信号、フォーカシングエラー信号及びトラッキングエラー信号等が含まれる。
【００５４】
光学ユニット１に含まれる偏光ビームスプリッタ１ｃは、（ａ）光源１ａから出射されたレーザ光を透過し、光分割光学素子１ｄから入射する戻り光を反射する機能面と、（ｂ）該機能面と平行に配置され、該機能面により反射された戻り光を反射して受光素子１ｂへと導く反射ミラーとを有している。また、光分割光学素子１ｄは、（ａ）光源１ａから出射されたレーザ光を回折し、トラッキング用サブビームを生成する回折格子と、（ｂ）光ディスクからの戻り光を、各種信号検出のために複数の光に分割するホログラムとを含んでおり、これらを一体化することにより構成されている。
【００５５】
光学ユニット１の光源１ａから出射されたレーザ光は、コリメートレンズ２に入射して略平行光となる。ただし、波長４０５ｎｍの青紫レーザにより情報が記録・再生される次世代ＤＶＤにおいては、光ディスクの基板厚さ（標準０．１ｍｍ）の誤差（±２５μｍ）によって容易に球面収差が発生して信号品質が乱され得る。この球面収差に対する対策として、コリメートレンズ２は光源１ａが出射する光ビームの光軸方向に移動可能に構成されていることが好ましい。
【００５６】
光ピックアップ装置１００は、（ａ）コリメートレンズ２の近傍に配置され、上記コリメートレンズ２を、光源１ａが出射する光ビームの光軸方向に移動可能に保持するコリメートレンズ駆動機構２ｂと、（ｂ）上記コリメートレンズ駆動機構２ｂを駆動するモータ等の駆動装置２ｃとを更に備えている。具体的には、コリメートレンズ駆動機構２ｂは、モータ等からなる駆動装置２ｃの回転運動を光軸方向の直線運動に変換する運動変換機構を備えており、コリメートレンズ２を保持するレンズ保持部を介して、コリメートレンズ２を光軸方向に直線移動する。コリメートレンズ２は、コリメートレンズ駆動機構２ｂにより、球面収差を補正する方向に移動させられ、球面収差が最小（理想的には０）となる位置に保持される。ただし、コリメートレンズ駆動機構２ｂは、必ずしも１方向の移動だけでコリメートレンズ２の移動を完了する必要はなく、球面収差が最小（理想的には０）となる位置の付近で正方向・逆方向の微妙な移動調整を行ったうえで、最終的にコリメートレンズ２の移動を終了する構成としてもよい。
【００５７】
以上のような構成を採用することにより、コリメートレンズ２から対物レンズ３に入射する光を収斂光あるいは発散光とすることが可能となり、対物レンズから出射される光の収差を調整して、基板厚が「薄い」場合でも「厚い」場合でも記録面上での球面収差を除去することができる。
【００５８】
また、光ディスクの記録時と再生時とでは、光ディスクに照射される光量を変化させる必要がある。また、反射率の異なる複数の記録面を有する多層（例えば２層）ディスクに対して情報を記録・再生する場合、各記録面の反射率に応じて、光ディスクに照射される光量を変化させる必要がある。従って、光アッテネータや偏光回折素子等の光量制御素子４を、条件に応じて光軸に対し出し入れする必要がある。このため、光ピックアップ装置１００は、（ｃ）光量制御素子４を、光源１ａが出射する光ビームの光軸に対して出し入れ可能に保持する光量制御素子駆動機構４ｂ、および、（ｄ）光量制御素子駆動機構４ｂを駆動制御するモータ等の駆動装置４ｃを更に備えている。より具体的には、光量制御素子駆動機構４ｂはモータ等からなる駆動装置４ｃの回転運動を上記平面内で光軸と直交する方向の直線運動に変換する運動変換機構を兼ね備えている。
【００５９】
コリメートレンズ２により平行光束とされた光ビームは、対物レンズ３の直下に配置された立ち上げミラー５により、光路を光ディスクと直交する方向に曲げられ、対物レンズ３に入射する。対物レンズ３は、入射した光ビームを光ディスクの記録面上に集光する。この対物レンズ３は、アクチュエータ３ｂに結合されており、該アクチュエータ３ｂにより、光ディスクの半径方向、および、光ディスクのフォーカス方向に駆動制御される。
【００６０】
対物レンズ３により光ディスクの記録面上に集光された光ビームは、光ディスクにより反射された後、再び対物レンズ３を透過して、立ち上げミラー５により反射される。この反射光は、戻り光として、光学ユニット１に入射する。光学ユニット１に入射した戻り光は、上述の光分割光学素子１ｄにより所定の光に分割され、偏光ビームスプリッタ１ｃにより受光素子１ｂへと導かれる。
【００６１】
光ピックアップ装置１００に含まれる、光学ユニット１、コリメートレンズ２・コリメートレンズ駆動機構２ｂ・駆動装置２ｃ、対物レンズ３・アクチュエータ３ｂ、光量制御素子４・光量制御素子駆動機構４ｂ・駆動装置４ｃ、および、立ち上げミラー５は、ハウジング１０に取り付けられている。そして、ハウジング１０は、光ディスクの半径方向と平行に配設された２本のガイドシャフト１５１を介して、光ディスク装置１５０に取り付けられている。具体的には、ハウジング１０には、ガイドシャフト１５１を貫通させるための貫通孔１０ｂを有する凸部１０ｃが形成されており、ガイドシャフト１５１を上記貫通孔１０ｂに貫通させることにより、光ピックアップ装置１００は光ディスクの半径方向に移動可能な状態で、光ディスク装置１５０に取り付けられる。
【００６２】
また、ハウジング１０には、光ディスクの内周側に、スピンドルモータ１５２との干渉を防ぐための凹部１０ｄが形成されている。これにより、光ピックアップ装置１００が、光ディスク内周側に最も移動した配置においても、スピンドルモータ１５２とハウジング１０とが干渉することはない。これにより、対物レンズ３は光ディスクの最内周部から最外周部までを光ディスクに半径方向にトラッキングすることが可能になる。
【００６３】
光ピックアップ装置１００において、まず注目すべきは、図１に示したように、光学ユニット１が、光源１ａから出射される光ビームの光軸（対物レンズ３の中心を通り、光ピックアップ装置の移動方向に垂直な直線Ｌに一致）に対し、非対称に形成されている点である。すなわち、光学ユニット１においては、光源１ａから出射される光ビームの光軸に対し、受光素子１ｂを含んでいる側が、受光素子１ｂが配置されている分大きく形成され、受光素子１ｂを含んでいる側とは反対側が、受光素子が配置されていない分小さく形成されている点である。この光学ユニット１の構成上の特徴により、受光素子１ｂを含む大きく形成された側を直線Ｌに対して光ディスクの内周側に配置し、受光素子１ｂを含まない小さく形成された側を直線Ｌに対して光ディスクの外周側に配置することが可能になる。
【００６４】
従来の光学ユニットは、ホログラム等の回折手段と受光素子との位置合わせのための回転調整を考慮して、光源が出射するレーザ光の光軸に関して対称に形成されている。一方、本発明の光学ユニット１は、ホログラムを含む光分割光学素子１ｄが予め回転調整を施された上で一体化されている。このため、光学ユニット１の光ピックアップ装置への取り付けに際し、回転調整は不要である。従って、光学ユニット１を、非対称に形成することができる。
【００６５】
光ピックアップ装置１００において、更に注目すべきは、対物レンズ３の中心を通り光ピックアップ装置の移動方向に垂直な直線Ｌ上に上記光源１ａが配置され、該直線Ｌに対し光ディスクの内周側に受光素子１ｂが配置されるよう、光学ユニット１が配置されている点である。換言すれば、対物レンズ３の中心を通りガイドシャフト１５１に垂直な直線Ｌ上に上記光源１ａが位置し、該直線Ｌに対しハウジング１０の凹部１０ｄ側に受光素子１ｂが位置するよう、光学ユニット１が配置されている点である。
【００６６】
これにより、直線Ｌに対し光ディスクの外周側には、受発光モジュール１の受光素子１ｂ側の大きさによらず、他の部品を配置するための領域を確保することができる。すなわち、光ピックアップ装置１００においては、部品レイアウトの自由度が向上する。実際、光ピックアップ装置１００においては、この確保された領域に、上述の駆動装置４ｃが配置されている。
【００６７】
この確保された領域に部品を配置しない場合には、当該領域の分だけ、ハウジング１０を小型化することができる。これにより、より小型の光ディスク装置にも搭載可能な、小型の光ピックアップ装置を実現することもできる。
【００６８】
以上のように、次世代ＤＶＤに対して情報の記録／再生を行う光ディスク装置に搭載される光ピックアップ装置には、様々な部品が搭載される。このため、光ピックアップ装置のハウジング面積を有効活用することが求められる。本発明では従来技術では小型化を追及しながらも利用されず、ハウジング筐体の一部として金属あるいは樹脂等の塊のみが存在し、有効活用されていなかった領域に受光素子を配置する。このため、光ピックアップ装置の投影面積を有効活用すると共に、光ピックアップ装置のサイズを大型化することなく、光学ユニットを大きく構成したり、光学ユニットを複数搭載したり、あるいは、その他の部品を搭載したりすることが可能な光ピックアップ装置を提供することができる。
〔実施形態２〕
次に、本発明の他の実施形態について、図２を参照しながら説明する。図２は次世代ＤＶＤに加え、さらにＣＤおよびＤＶＤに対する記録／再生に対応した光ピックアップ装置２００の概略構成を示す概略構成図である。
【００６９】
図２に示すように、光ピックアップ装置２００は、その光学系を構成する主要な要素として、光学ユニット１、コリメートレンズ２、対物レンズ３、および、立ち上げミラー５を備えている。これらの要素は、図１に示した光ピックアップ装置１００の光学系構成要素と同一であるので、同一の部材番号を付すとともに、その説明を省略する。なお、光ピックアップ装置２００のコリメートレンズ２は、３つの波長に対応するコリメートレンズであり、波長４０５ｎｍの光を平行光に、波長６５０ｎｍの光と７８０ｎｍの光とを概平行光にするように設計されたものである。
【００７０】
また、図２に示すように、光ピックアップ装置２００は、（ａ）コリメートレンズ２を、光源１ａが出射する光ビームの光軸方向に移動可能に保持するコリメートレンズ駆動機構２ｂ、および、（ｂ）コリメートレンズ駆動機構２ｂを駆動制御するモータ等の駆動装置２ｃを更に備えている。これらについても、その機能および目的は光ピックアップ装置１００に備えられたものと同一であるので、同一の部材番号を付すとともに、その説明を省略する。
【００７１】
図２に示すように、光ピックアップ装置２００における、光ピックアップ装置１００との光学系構成要素上の主な相違点は、ＤＶＤおよびＣＤに対応した２波長集積モジュール６、および、ダイクロイックプリズム７を更に搭載している点である。
【００７２】
２波長集積モジュール６は、図２に示すように、光源６ａ、受光素子６ｂ、および、光分割素子６ｃを含んでおり、これらが集約構成されてなる。光源６ａは、波長６５０ｎｍのレーザ光を出射するレーザーチップと、波長７８０ｎｍのレーザ光を出射するレーザチップとを搭載したＣＡＮパッケージ、あるいは樹脂パッケージの単体レーザであり、ＣＤ用およびＤＶＤ用の光ビームを出射する。受光素子６ｂは、光ディスクによって反射された上記レーザ光の戻り光を受光し電気信号に変換する。光分割光学素子６ｃは、光ディスクによって反射された上記レーザ光の戻り光を、各種信号検出のために複数の光に分割する。光源６ａ、受光素子６ｂ、および、光分割素子６ｃは、筐体６´により保持されることにより、モジュール化されている。
【００７３】
なお、光ピックアップ装置２００に搭載される２波長集積モジュールは、上記の形態に限定されるものではなく、例えば、波長６５０ｎｍおよび波長７８０ｎｍのレーザ光を出射するモノリシックに構成された１つのレーザチップと、受光素子チップとを筐体内に収めた形態の集積モジュールであってもよい。
【００７４】
ダイクロイックプリズム７は、光受発光ユニット１と２波長集積モジュールとから出射された光ビームを、対物レンズ３直下に配置された立上げミラー５に至る同一の光軸上に導く。また、ダイクロイックプリズム７は、光ディスクからの戻り光を、光受発光ユニット１、あるいは、２波長集積モジュールへと導く。
【００７５】
光ピックアップ装置２００を構成する、光学ユニット１、コリメートレンズ駆動機構２ｂ・駆動装置２ｃ、立ち上げミラー５、対物レンズ３、および、アクチュエータ３ｂは、ハウジング２０に取り付けられている。そして、ハウジング２０は、光ディスクの半径方向と平行に配設された２本のガイドシャフト１５１を介して、光ディスク装置１５０に取り付けられている。具体的には、ハウジング２０には、ガイドシャフト１５１を貫通させるための貫通孔２０ｂを有する凸部２０ｃが形成されており、ガイドシャフト１５１を上記貫通孔２０ｂに貫通させることにより、光ピックアップ装置２００は光ディスクの半径方向に移動可能な状態で、光ディスク装置１５０に取り付けられる。
【００７６】
また、ハウジング２０には、光ディスクの内周側に、スピンドルモータ１５２との干渉を防ぐための凹部２０ｄが形成されている。これにより、光ピックアップ装置２００が、光ディスク内周側に最も移動した配置においても、スピンドルモータ１５２とハウジング２０とが干渉することはない。これにより、対物レンズ３は光ディスクの最内周部から最外周部までを光ディスクに半径方向に沿ってトラッキングすることが可能になる。
【００７７】
図２に示したように、光学ユニット１は、光源１ａが出射するレーザ光の光軸（図示した配置では、対物レンズ３の中心を通り、光ピックアップ装置の移動方向に垂直な直線Ｌに一致）に対して、非対称に形成されている。すなわち、光学ユニット１においては、光源１ａが出射するレーザ光の光軸に対し、受光素子１ｂを含んでいる側が、受光素子１ｂが配置されている分大きく形成され、受光素子１ｂを含んでいる側とは反対側が、受光素子が配置されていない分小さく形成されている。
【００７８】
また、光ピックアップ装置２００においても、対物レンズ３の中心を通り、光ピックアップ装置２００の移動方向に垂直な直線Ｌ上に上記光源１ａが位置し、該直線Ｌに対し光ディスクの内周側に受光素子１ｂが位置するように、光学ユニット１が配置されている。換言すれば、対物レンズ３の中心を通りガイドシャフト１５１に垂直な直線Ｌ上に上記光源１ａが位置し、該直線ｌに対しハウジング２０の凹部２０ｄ側に受光素子１ｂが位置するよう、光学ユニット１が配置されている。
【００７９】
従って、光学ユニット１の受光素子１ｂを含む大きく形成された側が、直線Ｌに対して光ディスクの内周側に配置され、受光素子１ｂを含まない小さく形成された側が、直線Ｌに対して光ディスクの外周側に配置されることになる。これにより、ハウジング２０の直線Ｌより外周側を、縮小化することが可能になる。
【００８０】
図２の点線１５３は、光ディスク装置１５０のディスク搭載部の壁を示しており、 光ピックアップ装置２００は、光ディスクの外周側へ移動する際、ディスク搭載部のコーナー部１５３ｃに向かって移動する。ハウジング２０の外周部２０ａの形状は、図２に示すように、ディスク搭載部のコーナー部１５３ｃの形状に沿うように形成されており、２波長集積モジュール６は、当該外周部２０ａに取り付けられる。これにより、光ピックアップ装置２００は、ディスク搭載部の壁１５３の間際まで接近することができる。換言すれば、光ピックアップ装置２００が光ディスクの外周側へ最も移動した状態で、上述のように形成されたハウジング２０と干渉しないサイズまで、ディスク搭載部を縮小することができる。
〔実施形態３〕
本発明のさらのほかの実施形態について、図３を参照しながら説明する。図３は、次世代ＤＶＤに加え、さらにＣＤおよびＤＶＤに対する記録再生に対応した光ピックアップ装置５００の概略構成を示す概略構成図である。
【００８１】
図３に示したように、光ピックアップ装置５００は、その光学系を構成する主要な要素として、光学ユニット５０１、光学素子群５０２、コリメートレンズ５０３、対物レンズ５０４（以上、次世代ＤＶＤ専用の構成要素）、光源５０５、光学素子群５０６、コリメートレンズ５０７、対物レンズ５０８、受光素子５０９、ＣＤ用偏光ホログラム５１０、ＤＶＤ用偏光ホログラム５１１、ＣＤ用光軸補正ホログラム５１２、ＮＤフィルタ５１３（以上、ＣＤ・ＤＶＤ専用の構成要素）、ダイクロイックプリズム５１４、および、１／４波長板５１５（以上、次世代ＤＶＤ、ＣＤ・ＤＶＤ共用の構成要素）を備えている。
【００８２】
はじめに、次世代ＤＶＤ用の光学系構成要素について、説明する。
【００８３】
光学ユニット５０１は、光源５０１ａ、受光素子５０１ｂ、偏光ビームスプリッタ５０１ｃ、および、光分割光学素子５０１ｄを含み、これらが集約されたものである。光源５０１ａは、単独で光軸調整ができるように、光軸調整機構５０１ｅを介して光学ユニット５０１の筐体５０１´に固定されている。一方、受光素子５０１ｂと光分割ユニット５０１ｄとは、上記筐体５０１´に固定された偏光ビームスプリッタ５０１ｃに、取り付けられている。
【００８４】
光学ユニット５０１に含まれる光源５０１ａは、例えばＣＡＮパッケージ化された単体レーザであり、波長４０５ｎｍの青紫レーザ光を出射する。当該光源５０１ａは、上述したように、光軸調整機構５０１ｅを介して光学ユニット１に固定されているので、受光素子５０１ｂとは独立に光軸調整を行うことができる。また、受光素子５０１ｂは、上記青紫レーザ光が光ディスクに反射された反射光（戻り光）を受光し、該反射光を電気信号に変換する。受光素子５０１ｂにより得られる電気信号には、再生信号、フォーカシングエラー信号及びトラッキングエラー信号等が含まれる。
【００８５】
光学ユニット５０１に含まれる偏光ビームスプリッタ５０１ｃは、（ａ）光源５０１ａから出射されたレーザ光を透過し、光分割光学素子５０１ｄから入射する戻り光を反射する機能面と、（ｂ）該機能面と平行に配置され、該機能面により反射された戻り光を反射して受光素子５０１ｂへと導く反射ミラーとを有している。また、光分割光学素子５０１ｄは、（ａ）光源５０１ａから出射されたレーザ光を回折し、トラッキング用サブビームを生成する回折格子と、（ｂ）光ディスクからの戻り光を、各種信号検出のために複数の光に分割するホログラムとを含んでおり、これらを一体化することにより構成されている。
【００８６】
光学ユニット５０１から出射された光ビームは、光学素子群５０２によりその方向を９０度変えられ、対物レンズ５０４・５０８を通り光ディスクの半径方向に垂直な直線Ｌ上へと導かれる。光学素子群５０２により９０度方向を変えられた光ビームの光路上には、コリメートレンズ５０３が配置されている。コリメートレンズ５０３は、光学ユニット５０１から出射されたレーザ光を、略平行光にする。ただし、波長４０５ｎｍの青紫レーザにより情報が記録・再生される次世代ＤＶＤにおいては、光ディスクの基板厚さ（標準０．１ｍｍ）の誤差（±２５μｍ）によって容易に球面収差が発生して信号品質が乱され得る。この球面収差に対する対策として、コリメートレンズ５０３は光学ユニット５０１が出射する光ビームの光軸方向に移動可能に構成されていることが好ましい。
【００８７】
光ピックアップ装置５００は、（ａ）コリメートレンズ５０３の近傍に配置され、上記コリメートレンズ５０３を、光源５０１ａが出射する光ビームの光軸方向に移動可能に保持するコリメートレンズ駆動機構５０３ｂと、（ｂ）上記コリメートレンズ駆動機構５０３ｂを駆動するモータ等の駆動装置５０３ｃとを更に備えている。具体的には、コリメートレンズ駆動機構５０３ｂは、モータ等からなる駆動装置５０３ｃの回転運動を光軸方向の直線運動に変換する運動変換機構を備えており、コリメートレンズ５０３を保持するレンズ保持部を介して、コリメートレンズ５０３を光軸方向に直線移動する。コリメートレンズ５０３は、コリメートレンズ駆動機構５０３ｂにより、球面収差を補正する方向に移動させられ、球面収差が最小（理想的には０）となる位置に保持される。ただし、コリメートレンズ駆動機構５０３ｂは、必ずしも１方向の移動だけでコリメートレンズ５０３の移動を完了する必要はなく、球面収差が最小（理想的には０）となる位置の付近で正方向・逆方向の微妙な移動調整を行ったうえで、最終的にコリメートレンズ５０３の移動を完了する構成としてもよい。
【００８８】
コリメートレンズ５０３を透過した光ビームの光路上には、さらにダイクロックプリズム５１４と１／４波長板と立ち上げミラー（不図示）とが配置されている。ダイクロイックプリズム５１４は、コリメートレンズ５０３を出射した光ビームを透過し、１／４波長板５１５へと導く。そして１／４波長板５１５を透過した光ビームの大部分は、対物レンズ５０４の直下に配置された波長４０５ｎｍの光を選択的に反射する立ち上げミラー（不図示）によりその方向を９０度曲げられ、次世代ＤＶＤ用の対物レンズ５０４に導かれる。対物レンズ５０４は、入射した光ビームを光ディスクの記録面に集光する。
【００８９】
光ディスク（次世代ＤＶＤ）の記録面にて反射された戻り光は、上記光路を逆にたどり、再び光学ユニット５０１へと導かれる。光学ユニット５０１へと導かれた戻り光は、上述したように、光分割光学素子５０１により各種信号検出のために複数の光に分割された上で、偏光ビームスプリッタ５０１ｃにより受光素子５０１ｂへと導かれる。
【００９０】
次に、ＣＤ・ＤＶＤ用の光学系構成要素について、説明する。
【００９１】
ＣＤ・ＤＶＤ用の光源５０５は、波長６５０ｎｍのレーザ光（直線偏光）を出射するレーザチップと波長７８０ｎｍのレーザ光（直線偏光）を出射するレーザチップとを搭載した、樹脂パッケージの単体レーザからなる２波長光源であり、ＣＤ用またはＤＶＤ用のレーザ光を出射する。なお、該光源５０５は、波長６５０ｎｍ及び波長７８０ｎｍのレーザ光を出射するモノリシックタイプのレーザチップが搭載されているものでも構わない。
【００９２】
上記光源５０５は、その出射光の方向が上記直線Ｌと略平行となるように配置されている。該光源５０５から出射したレーザ光は、光学素子群５０６によりその方向を９０度曲げられＣＤ・ＤＶＤ用のコリメートレンズ５０７に入射する。コリメートレンズ５０７は、入射したレーザ光を略平行光に変換し、上述したダイクロイックプリズム５１４に入射させる。ダイクロイックプリズム５１４は、コリメートレンズ５０７から入射した光ビームを反射し、上述した１／４波長板５１５へと導く。１／４波長板５１５は、ダイクロイックプリズム５１４から入射したＣＤ・ＤＶＤ用の光ビーム（直線偏光）を円偏光に変換して透過させる。波長６５０ｎｍ及び波長７８０ｎｍのレーザ光の発光点間隔は１１０μｍが一般的に普及している。
【００９３】
円偏光に変換されたＣＤ・ＤＶＤ用の光ビーム（すなわち、波長６５０ｎｍまたは７８０ｎｍの光）の大部分は、対物レンズ５０４の直下に配置された波長４０５ｎｍの光を選択的に反射する立ち上げミラーを透過し、ＣＤ・ＤＶＤ用の対物レンズ５０８の直下に配置された立ち上げミラー（不図示）に至る。対物レンズ５０８の直下に配置された該立ち上げミラーは、光ビームの方向を光ディスクの法線方向に９０度曲げ、ＣＤ・ＤＶＤ用の対物レンズ５０８に入射させる。これによって、ＤＶＤ用あるいはＣＤ用の光ビームは、対物レンズ５０８によって、光ディスクの記録面に集光される。
【００９４】
図３に示したように、対物レンズ５０４と対物レンズ５０８とは、アクチュエータ５０４ｂに結合されており、該アクチュエータ５０４により、光ディスクの動径方向、および、光ディスクのフォーカス方向に駆動制御される。
【００９５】
なお、図３は、対物レンズ５０４が、光ディスクの中心を通り光ディスクの半径方向に平行な直線Ｍ上に配置されている構成を示しているが、対物レンズ５０４・５０８の配置はこれに限定されるものではなく、例えば、対物レンズ５０８が上記直線Ｍ上に配置されるよう構成してもよいし、あるいは、対物レンズ５０４と対物レンズ５０８との間を上記直線Ｍが通るように構成してもよい。
【００９６】
光ディスク（ＣＤあるいはＤＶＤ）の記録面にて反射された戻り光は、上記光路を逆にたどり、光学素子群５０６に再入射する。該戻り光は、１／４波長板５１５を２回透過しており、光源５０５から出射される光ビームの偏光方向と直交する偏光方向をもっている。光学素子群５０６は、出射光と戻り光とを偏光方向に応じて分離する機能も兼ね備えており、該戻り光は、光学素子群５０６内部の機能面にて反射されて受光素子５０９の方向へと導かれる。
【００９７】
光学素子群５０６から受光素子５０９に至る上記直線Ｌと平行な光路上には、ＣＤ用のサーボ信号等を生成するための偏光ホログラム５１０、ＤＶＤ用のサーボ信号等を生成するための偏光ホログラム５１１、ＣＤ用光軸補正ホログラム５１２、および、受光素子５０９に入射する戻り光の光量を調整するための受光素子ＮＤフィルタ５１３が配置されている。ここで、ＣＤ用光軸補正ホログラム５１２は、ＤＶＤ用光ビームの光軸に対して約１１０μｍずれて入射するＣＤ用光ビームの光軸位置を補正し、ＤＶＤ用光ビームとＣＤ用光ビームとを単一の受光素子５０９に入射させるためのホログラムである。これらを透過した戻り光は、受光素子５０９に入射して電気信号に変換される。
【００９８】
光ピックアップ装置５００に含まれる上述した光学系構成要素は、ハウジング５２０に取り付けられている。そして、ハウジング５２０は、光ディスクの半径方向と平行に配設された２本のガイドシャフト１５１を介して、光ディスク装置１５０に取り付けられている。具体的には、ハウジング５２０には、ガイドシャフト１５１を貫通させるための貫通孔５２０ｂを有する凸部５２０ｃが形成されており、ガイドシャフト１５１を上記貫通孔５２０ｃに貫通させることにより、光ピックアップ装置５００は光ディスクの半径方向に移動可能な状態で、光ディスク装置１５０に取り付けられる。
【００９９】
また、ハウジング５２０には、光ディスクの内周側に、スピンドルモータ１５２との干渉を防ぐための凹部５２０ｄが形成されている。これにより、光ピックアップ装置５００が、光ディスク内周側に最も移動した配置においても、スピンドルモータ１５２とハウジング５２０とが干渉することはない。これにより、対物レンズ５０４・５０８は光ディスクの最内周部から最外周部までを光ディスクに半径方向にトラッキングすることが可能になる。
【０１００】
図３に示すように、光ピックアップ装置５００における、光ピックアップ装置２００（図２）との光学系構成要素上の主な相違点は、光学ユニット５０１の光源５０１ａが、対物レンズ５０４の中心を通り光ピックアップ装置の移動方向に垂直な直線Ｌ上に配置されているのではなく、光源５０１ａからの出射光の方向が光ピックアップ装置の移動方向と平行になるように、当該光ピックアップ装置５００における光ディスクの内周側の側面に配置されている点である。換言すれば、光学ユニット５０１は、図２に示した配置から、光学素子群５０２を中心にして時計回りに９０度回転した位置に配置されている点である。このため、光学ユニット５０１の全体が、上記直線Ｌより光ディスクの内周側に配置されている。この光学ユニット５０１の配置場所は、従来の光ピックアップ装置においては、部品が何も配置されることなく無駄になっていた部分（例えば図５において部材番号４１１で示した部分）に相当するものである。すなわち、本実施の形態では、この無駄になっていた部分に光学ユニット５０１を配置することにより、ハウジング５２０の限られた面積を有効に活用している。
【０１０１】
なお、光ピックアップ装置５００においては、出射光の方向が光ピックアップ装置の移動方向と平行になるように光源５０１ａを配置しているが、光源５０１ａの配置位置はこれに限定されるものではない。すなわち、光源５０１ａは、当該光ピックアップ装置５００における光ディスクの内周側の側面に配置されていれば十分であり、この場合にも、ハウジング５２０の限られた面積を有効に活用し、光ピックアップ装置５００を小型化することができる。
【０１０２】
なお、光ピックアップ装置５００においては、光学ユニット５０１と光学素子群５０２とを離間的に配置する構成を採用しているが、光学素子群５０２を光学ユニット５０１と一体化する構成を採用してもよい。この場合、光学ユニット５０１全体が直線Ｌより光ディスクの内周側に配置されるのではなく、少なくとも受光素子５０１ｂが上記直線の内周側に配置されることになる。このような構成を採用する場合でも、光ピックアップ装置のハウジングを有効に活用し、光ピックアップ装置の大型化を防げることができる。
【０１０３】
また、光ピックアップ装置５００における、光ピックアップ装置２００との他の相違点は、ＣＤ・ＤＶＤ用の光学系が、２波長集積モジュールではなく、上述したようにデスクリート部品で構成されている点である。
【０１０４】
ＣＤ・ＤＶＤ用の光学系構成要素は、上述したように、光ピックアップ装置５００のハウジング５２０の外周部（当該光ピックアップ装置を搭載する光ディスク装置のディスク搭載部の角に入り込む部分）に効率良く配置されている。従って、ＣＤ・ＤＶＤ用の光学系をデスクリートで構成したからといって、光ピックアップ装置５００の大型化を招来する弊害はない。また、以上のようなデスクリート構成を採用したことにより、個々の部品を一個一個調整配置することができるようになるので、部品取り付け時における位置調整精度を向上させることができるというメリットがある。
【０１０５】
〔付記事項〕
なお、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。例えば、本発明は以下のように構成することができる。
【０１０６】
本発明に係る光ピックアップ装置は、光ビームを出射する光源と、上記光ビームを上記光ディスクに集光する対物レンズと、上記光ディスクによって反射された上記光ビームの戻り光を受光する受光素子とを備え、上記光ディスクの半径方向方向に移動しながら、上記光ディスクに対して情報の記録あるいは再生を行う光ピックアップ装置において、上記光源からの光は、光ディスクに平行な平面内で上記対物レンズを通り上記移動方向に垂直な直線上を通過し、上記受光素子は、上記直線に対し上記光ディスクの内周側に配置されている構成としてもよい。
【０１０７】
また、本発明に係る光ピックアップ装置において、上記光源は、上記直線の延長上に配置されている構成としてもよい。
【０１０８】
また、本発明に係る光ピックアップ装置において、上記光源と上記受光素子とは、光学ユニットとして集積化されており、上記光学ユニットは、上記直線に対し、上記光ディスクの外周側に位置している部分が、上記光ディスクの内周側に位置している部分より小さく形成されている構成としてもよい。
【０１０９】
また、本発明に係る光ピックアップ装置において、上記光源は、上記直線に対し所定角度回転した位置に配置されている構成としてもよい。
【０１１０】
また、本発明に係る光ピックアップ装置において、上記光源は、上記直線に対し所定角度回転した位置に配置され、上記光源と上記受光素子とは光学ユニットとして集積化され、前記光学ユニットが前記直線に対し所定角度回転し、前記光学ユニットの少なくとも受光素子を含む部分が前記直線より内周側に配置されてなる構成としてもよい。
【０１１１】
また、本発明に係る光ピックアップ装置において、前記光学ユニット全体が前記直線より内周側に配置されてなる構成としてもよい。
【０１１２】
また、前記所定角度は９０°である構成としてもよい。
【産業上の利用可能性】
【０１１３】
本発明の光ピックアップ装置は、小型の光ディスク装置に搭載される光ピックアップ装置として好適に利用することができる。
【図面の簡単な説明】
【０１１４】
【図１】本発明の実施形態を示すものであり、光ピックアップ装置の概略構成を示す概略構成図である。
【図２】本発明の実施形態を示すものであり、他の光ピックアップ装置の概略構成を示す概略構成図である。
【図３】本発明の実施形態を示すものであり、さらに他の光ピックアップ装置の概略構成を示す概略構成図である。
【図４】従来技術を示すものであり、２つの光学ユニットを搭載した光ピックアップ装置の概略構成図である。
【図５】従来技術を示すものであり、２つの光学ユニットを搭載した光ピックアップ装置の概略構成図である。
【図６】従来技術を示すものであり、図５に示した光ピックアップ装置が備えているハウジングの外観図である。
【符号の説明】
【０１１５】
１００、２００  光ピックアップ装置
１          光学ユニット
１ａ        光源
１ｂ        受光素子
１ｃ        偏光ビームスプリッタ
１ｄ        光分割光学素子
１ｅ        光軸調整機構
２          コリメートレンズ
２ｂ        コリメートレンズ駆動機構
３          対物レンズ
４          光量制御素子
４ｂ        光量制御素子駆動機構
５          立上げミラー
１０、２０    ハウジング
５００          光ピックアップ装置
５０１          光学ユニット（次世代ＤＶＤ用）
５０１ａ        光源
５０１ｂ        受光素子
５０１ｃ        偏光ビームスプリッタ
５０１ｄ        光分割光学素子
５０１ｅ        光軸調整機構
５０２          光学素子群（次世代ＤＶＤ用）
５０３          コリメートレンズ（次世代ＤＶＤ用）
５０４          対物レンズ（次世代ＤＶＤ用）
５０５          光源（ＣＤ・ＤＶＤ用）
５０６          光学素子群（ＣＤ・ＤＶＤ用）
５０７          コリメートレンズ（ＣＤ・ＤＶＤ用）
５０８          対物レンズ（ＣＤ・ＤＶＤ用）
５０９          受光素子（ＣＤ・ＤＶＤ用）
５１４          ダイクロイックプリズム
５１５          １／４波長板５１５
５２０          ハウジング
【図１】
0004563334.tif 000002
【図２】
0004563334.tif 000003
【図３】
0004563334.tif 000004
【図４】
0004563334.tif 000005
【図５】
0004563334.tif 000006
【図６】
0004563334.tif 000007